(57)【特許請求の範囲】
【請求項１】
入力した電圧を出力電圧に変換して出力する電圧変換回路と、前記出力電圧を検出する検出回路と、基準電圧を出力する基準電圧回路と、前記検出回路から出力される検出電圧と前記基準電圧とを比較、増幅する誤差増幅器と、該誤差増幅器の出力信号に基づいて前記検出電圧と前記基準電圧とが等しくなるように前記電圧変換回路を制御する制御回路と、を備えた直流安定化電源装置において、
前記出力電圧が立ち上がるときに前記電圧変換回路から出力される電流を抑制する電流抑制回路を設け、
前記電流抑制回路が前記出力電圧の立ち上がり速度を検出し、前記出力電圧の立ち上がり速度に応じて電流抑制量を可変することを特徴とする直流安定化電源装置。
【請求項２】
前記出力電圧が印加される出力端子と、接地電位になるグランド端子と、を備えるとともに、前記電流抑制回路が抵抗手段及び容量から成る直列接続体を備え、該直列接続体を前記出力端子と前記グランド端子との間に設け、前記抵抗手段の両端電圧から前記出力電圧の立ち上がり速度を検出する請求項１に記載の直流安定化電源装置。
【請求項３】
前記出力電圧が印加される出力端子と、接地電位になるグランド端子と、を備えるとともに、前記電流抑制回路が、前記出力端子と前記グランド端子との間に設けられる容量と、前記容量を流れる電流を検出するカレントミラー回路と、を備え、前記カレントミラー回路の出力電流から前記出力電圧の立ち上がり速度を検出する請求項１に記載の直流安定化電源装置。
【請求項４】
前記抵抗手段又は前記カレントミラー回路と前記容量との間に端子を設けるとともに、前記容量以外の回路が半導体集積回路装置に搭載され、前記容量が半導体集積回路装置の外部に設けられる請求項２又は請求項３に記載の直流安定化電源装置。
【請求項５】
前記端子に印加される電圧を第２の出力電圧とする請求項４に記載の直流安定化電源装置。
【発明の詳細な説明】
【０００１】
【発明の属する技術分野】
本発明は、シリーズレギュレータやスイッチングレギュレータ等の直流安定化電源装置に関するものである。特に、直流安定化電源装置のソフトスタートに関するものである。
【０００２】
【従来の技術】
従来の直流安定化電源装置の一構成例を図５に示す。図５の直流安定化電源装置は、入力端子１と、出力端子２と、グランド端子３と、誤差増幅器４と、基準電圧回路５と、制御端子６と、ＰＮＰ型トランジスタＱ１と、ＮＰＮ型トランジスタＱ２と、抵抗Ｒ１〜Ｒ３とから構成され、その全てが半導体集積回路装置に搭載される。
【０００３】
図５の直流安定化電源装置の構成について説明する。入力端子１はトランジスタＱ１のエミッタに接続される。トランジスタＱ１のコレクタは抵抗Ｒ１の一端と出力端子２とに接続される。抵抗Ｒ１の他端は抵抗Ｒ２を介してグランド端子３に接続される。抵抗Ｒ１と抵抗Ｒ２との接続ノードが誤差増幅器４の反転入力端子に接続され、基準電圧回路５の出力端が誤差増幅器４の非反転入力端子に接続される。そして、誤差増幅器４の出力端子がトランジスタＱ２のベースに接続される。トランジスタＱ２のコレクタはトランジスタＱ１のベースに接続され、トランジスタＱ２のエミッタは抵抗Ｒ３を介してグランド端子３に接続される。また、基準電圧回路５の第１電源入力端が入力端子１に、第２電源入力端がグランド端子３に、それぞれ接続される。そして、誤差増幅器４の電源入力端に制御端子６が接続される。更に、出力端子２とグランド端子３は、半導体集積回路装置の外部に設けられるコンデンサＣｏ及び負荷ＲＬに接続される。
【０００４】
続いて図５の直流安定化電源装置の動作について説明する。トランジスタＱ１は、入力端子１から供給される入力電圧Ｖｉｎを出力電圧Ｖｏに変換して出力端子２に送出する。抵抗Ｒ１及び抵抗Ｒ２から成る出力電圧検出回路は、出力電圧Ｖｏを分圧し、その分圧Ｖａｄｊを誤差増幅器４の反転入力端子に送出する。一方、基準電圧回路５は、入力電圧Ｖｉｎを駆動電圧とし、バンドギャップ電圧に基づいて基準電圧Ｖｒｅｆを生成し、その基準電圧Ｖｒｅｆを誤差増幅器４の非反転入力端子に送出する。
【０００５】
誤差増幅回路４は、制御端子６に印加される電圧Ｖｃを駆動電圧とし、基準電圧Ｖｒｅｆと分圧Ｖａｄｊとの差を増幅してトランジスタＱ２のベースに出力する。トランジスタＱ２は誤差増幅器４から出力された信号を増幅して、トランジスタＱ１のベースに供給し、トランジスタＱ１のコレクタ−エミッタ間電圧を制御する。
【０００６】
誤差増幅器４からトランジスタＱ２に出力される誤差増幅信号が大きいほど、トランジスタＱ２のコレクタ電流も大きくなり、それに伴いトランジスタＱ１のベース電流が大きくなり、トランジスタＱ１のコレクタ−エミッタ間電圧が小さくなる。従って、誤差増幅信号が大きいほど出力電圧Ｖｏは大きくなる。
【０００７】
そして、分圧Ｖａｄｊが基準電圧Ｖｒｅｆと等しいときに、出力電圧Ｖｏが設定出力電圧Ｖｏ＊と等しくなるように基準電圧Ｖｒｅｆの値が設定されている。したがって、出力電圧Ｖｏが設定出力電圧Ｖｏ＊になるようにフィードバック制御される。また、出力位相補償用のコンデンサＣｏを設けることで、出力電圧Ｖｏの安定化を図っている。
【０００８】
【発明が解決しようとする課題】
しかしながら、このような回路構成の直流安定化電源装置では、起動時に瞬時的に大きな電流が流れることによって生じる問題点があった。この問題点について、図５及び図６を参照して詳細に説明する。図６は、図５の直流安定化電源装置において、無負荷（負荷ＲＬを取り除いた構成）にしたときの各部の電圧・電流タイムチャートである。
【０００９】
入力端子１に入力電圧Ｖｉｎが投入されると、図６（ａ）に示すように入力電圧Ｖｉｎが立ち上がる。そして、図６（ｂ）に示すように、入力電圧Ｖｉｎが立ち上がると同時に基準電圧Ｖｒｅｆも立ち上がる。なお、電圧Ｖｃ（図６において図示せず）も入力電圧Ｖｉｎと同期して立ち上がるものとする。このとき、コンデンサＣｏの充電電流Ｉｃｏは、瞬時的にトランジスタＱ１の電流能力限界近くまで流れる。そして、その後コンデンサＣｏの充電が完了し、出力電圧Ｖｏの立ち上がりが完了すると、出力電流Ｉｏはほとんど流れなくなる。したがって、図５の直流安定化電源装置の出力電圧Ｖｏ−出力電流Ｉｏ特性は、図７に示すようになる。
【００１０】
図５の直流安定化電源装置は、図７に示すような出力電圧Ｖｏ−出力電流Ｉｏ特性を有するため、たとえ実際使用時に負荷ＲＬに流れる電流ＩLが小さくても、起動時には瞬時的にピーク電流Ｉｏｐが流れてしまう。このため、直流安定化電源装置に電力を供給する入力電源がピーク電流Ｉｏｐを流すことができる容量を有していなければ、直流安定化電源装置の起動時に入力電源の出力電圧が低下してしまい、直流安定化電源装置と並列で用いている他のシステムまでもが誤動作することになる。したがって、入力電源の容量を実際使用時に必要な容量よりもかなり大きくする必要があり、入力電源にコストがかかってしまうという問題点があった。
【００１１】
そこで、起動時の出力電流Ｉｏを抑制する手段を備えた直流安定化電源装置が提案されている。このような従来の直流安定化電源装置の一構成例を図８に示す。なお、図８において図５と同一の部分には同一の符号を付し説明を省略する。
【００１２】
図８の直流安定化電源装置は、図５の直流安定化電源装置に時定数回路１１を新たに設けた構成の直流安定化電源装置である。時定数回路１１は、抵抗Ｒ８と、端子１０と、コンデンサＣ２とから構成され、基準電圧回路５と誤差増幅器４との間に設けられる。なお、抵抗Ｒ８と端子１０は半導体集積回路装置に搭載され、コンデンサＣ２は半導体集積回路装置の外部に設けられる。また、抵抗Ｒ８の一端は基準電圧回路５の出力端に接続され、抵抗Ｒ８の他端は誤差増幅器４の非反転入力端子及び端子１０に接続される。端子１０はコンデンサＣ２を介して接地される。
【００１３】
続いて図８の直流安定化電源装置の動作について図８及び図９を参照して説明する。図９は、図８の直流安定化電源装置において、無負荷（負荷ＲＬを取り除いた構成）にしたときの各部の電圧・電流タイムチャートである。なお、図９において参考のため図５の直流安定化電源装置において無負荷にしたときの各部の電圧・電流を破線で示す。
【００１４】
入力端子１に入力電圧Ｖｉｎが投入されると、図９（ａ）に示すように入力電圧Ｖｉｎが立ち上がる。そして、図９（ｂ）に示すように入力電圧Ｖｉｎが立ち上がると、同時に基準電圧Ｖｒｅｆも立ち上がるが、時定数回路１１によりその立ち上がりは緩やかになる。なお、電圧Ｖｃ（図９において図示せず）も入力電圧Ｖｉｎと同期して立ち上がるものとする。
【００１５】
基準電圧Ｖｒｅｆが緩やかに立ち上がるので、コンデンサＣｏの充電が緩やかに行われる。これにより、図９（ｃ）に示すように出力電圧Ｖｏが緩やかに立ち上がり、図９（ｄ）に示すように出力電流Ｉｏのピーク値も小さくなる。そして、その後コンデンサＣｏの充電が完了し、出力電圧Ｖｏの立ち上がりが完了すると、出力電流Ｉｏはほとんど流れなくなる。したがって、図８の直流安定化電源装置の出力電圧Ｖｏ−出力電流Ｉｏ特性は、図１０に示すようになる。なお、図１０において参考のため図５の直流安定化電源装置の出力電圧Ｖｏ−出力電流Ｉｏ特性を破線で示す。
【００１６】
上述したように、図８の直流安定化電源装置は入力電圧Ｖｉｎの投入時にはソフトスタートが可能である。しかしながら、入力電圧Ｖｉｎ及び基準電圧Ｖｒｅｆが立ち上がった状態で制御端子６への電圧Ｖｃの印加をオン／オフすることによって直流安定化電源装置の動作をオン／オフする場合には、基準電圧Ｖｒｅｆの立ち上がりを利用してソフトスタートを行うことができないため、制御端子６への電圧Ｖｃの印加をオフからオンに切り替える際に瞬時的にピーク電流Ｉｏｐ近くまで出力電流Ｉｏが流れてしまうという不具合があった。
【００１７】
本発明は、上記の問題点に鑑み、基準電圧が立ち上がっている状態であってもソフトスタートを行うことができる直流安定化電源装置を提供することを目的とする。
【００１８】
【課題を解決するための手段】
上記目的を達成するために、本発明に係る直流安定化電源装置においては、入力した電圧を出力電圧に変換して出力する電圧変換回路と、前記出力電圧を検出する検出回路と、基準電圧を出力する基準電圧回路と、前記検出回路から出力される検出電圧と前記基準電圧とを比較、増幅する誤差増幅器と、該誤差増幅器の出力信号に基づいて前記検出電圧と前記基準電圧とが等しくなるように前記電圧変換回路を制御する制御回路と、を備え、前記出力電圧が立ち上がるときに前記電圧変換回路から出力される電流を抑制する電流抑制回路を設け、前記電流抑制回路が前記出力電圧の立ち上がり速度を検出し、前記出力電圧の立ち上がり速度に応じて電流抑制量を可変する構成とする。この場合の構成としては、前記出力電圧が印加される出力端子と、接地電位になるグランド端子と、を備えるとともに、前記電流抑制回路が、抵抗手段及び容量から成る直列接続体を備え、該直列接続体を前記出力端子と前記グランド端子との間に設け、前記抵抗手段の両端電圧から前記出力電圧の立ち上がり速度を検出する構成が挙げられる。また、他の構成としては、前記出力電圧が印加される出力端子と、接地電位になるグランド端子と、を備えるとともに、前記電流抑制回路が、前記出力端子と前記グランド端子との間に設けられる容量と、前記容量を流れる電流を検出するカレントミラー回路と、を備え、前記カレントミラー回路の出力電流から前記出力電圧の立ち上がり速度を検出する構成が挙げられる。
【００２１】
また、前記抵抗手段又は前記カレントミラー回路と前記容量との間に端子を設けるとともに、前記容量以外の回路が半導体集積回路装置に搭載され、前記容量が半導体集積回路装置の外部に設けられるようにしてもよい。
【００２２】
また、前記端子に印加される電圧を第２の出力電圧としてもよい。
【００２３】
【発明の実施の形態】
本発明の一実施形態について図面を参照して説明する。本発明に係る第一実施形態の直流安定化電源装置の構成を図１に示す。なお、図１において図５と同一の部分には同一の符号を付し説明を省略する。
【００２４】
図１に示す第一実施形態の直流安定化電源装置は、図５の直流安定化電源装置に出力電圧Ｖｏが立ち上がるときに出力電流Ｉｏを抑制する出力電流抑制回路９を新たに設けた構成の直流安定化電源装置である。出力電流抑制回路９は、抵抗Ｒ４と、比較器７と、端子８と、コンデンサＣ１とから構成される。なお、抵抗Ｒ４、比較器７、及び端子８は半導体集積回路装置に搭載され、コンデンサＣ１は半導体集積回路装置の外部に設けられる。
【００２５】
抵抗Ｒ４の一端は出力端子２に接続され、抵抗Ｒ４の他端は端子８を介してコンデンサＣ１の一端に接続される。コンデンサＣ１の他端はグランド端子３に接続される。そして、比較器７の反転入力端子が抵抗Ｒ４の一端に接続され、比較器７の非反転入力端子が抵抗Ｒ４の他端に接続され、比較７の出力端子がトランジスタＱ２のベースに接続される。
【００２６】
次に、出力電圧Ｖｏの立ち上がり時における図１の直流安定化電源装置の動作について図１及び図２を参照して説明する。図２は、図１の直流安定化電源装置において、無負荷（負荷ＲＬを取り除いた構成）にしたときの各部の電圧・電流タイムチャートである。なお、図２において参考のため図５の直流安定化電源装置において無負荷にしたときの各部の電圧・電流を破線で示す。
【００２７】
入力端子１に入力電圧Ｖｉｎが投入されると、図２（ａ）に示すように入力電圧Ｖｉｎが立ち上がる。そして、図２（ｂ）に示すように入力電圧Ｖｉｎが立ち上がると、同時に基準電圧Ｖｒｅｆも立ち上がる。なお、電圧Ｖｃ（図示せず）も入力電圧Ｖｉｎと同期して立ち上がるものとする。しかし、入力電圧Ｖｉｎが立ち上がった瞬間、出力電圧Ｖｏはほぼ０[V]である。このため、誤差増幅器４が出力する誤差増幅信号は最大となってしまう。
【００２８】
一方、出力電圧Ｖｏの立ち上がり時に、抵抗Ｒ４を通してコンデンサＣ１が充電される。したがって、抵抗Ｒ４には出力電圧Ｖｏの立ち上がり速度に応じた電流が流れる。そして、この電流によって生じる抵抗Ｒ４の両端電圧に応じたＬｏｗレベルの電圧信号が増幅器７からトランジスタＱ２のベースに出力される。
【００２９】
トランジスタＱ２のベース電圧は、誤差増幅器４が出力する誤差増幅信号の大きさにかかわらず、比較器７から出力される電圧信号の値となる。これにより、図２（ｃ）に示すように出力電圧Ｖｏが緩やかに立ち上がり、図２（ｄ）に示すように出力電流Ｉｏのピーク値も小さくなる。
【００３０】
そして、その後コンデンサＣｏの充電が完了し、出力電圧Ｖｏの立ち上がりが完了する。本実施形態ではコンデンサＣｏの充電完了とほば同時にコンデンサＣ１の充電も完了するようにコンデンサＣ１の静電容量を設定している。コンデンサＣ１の充電が完了すると、抵抗Ｒ４に電流が流れなくなり抵抗Ｒ４の両端電圧はほぼ０[V]になる。比較器７はＬｏｗレベルの信号でオン、Ｈｉｇｈレベルの信号でオフになるスイッチを具備し、そのスイッチによって出力をオン／オフする構成である。したがって、反転入力端子に入力される電圧と非反転入力端子に入力される電圧が等しいとき、すなわち、反転入力端子に入力される電圧が非反転入力端子に入力される電圧より小さくない場合、比較器７は出力を停止する。これにより、出力電圧Ｖｏの立ち上がり後は図５の直流安定化電源装置と同様の動作を行うことになり、出力電流Ｉｏがほとんど流れなくなる。
【００３１】
したがって、図１の直流安定化電源装置の出力電圧Ｖｏ−出力電流Ｉｏ特性は、図３に示すようになる。なお、図３において参考のため図５の直流安定化電源装置の出力電圧Ｖｏ−出力電流Ｉｏ特性を破線で示す。
【００３２】
本実施形態の直流安定化電源装置は、上述したような動作を行うことによって、出力電圧Ｖｏが立ち上がる場合は必ずソフトスタートを行うことができる。すなわち、基準電圧Ｖｒｅｆが立ち上がっている状態であってもソフトスタートを行うことができる。
【００３３】
そして、出力電圧Ｖｏが立ち上がったのちに、負荷ＲＬの急激な変動による出力電圧Ｖｏの低下が起こっても、端子８の電圧は変動しないので、比較器７が出力することはない。したがって、出力電流抑制回路９が出力電圧Ｖｏの立ち上がり以外で誤動作することはない。
【００３４】
また、コンデンサＣ１を半導体集積回路装置の外部に設ける構成にしたので、コンデンサＣ１の静電容量を大きくすることができる。そして、コンデンサＣ１の静電容量を変更することにより、出力電圧Ｖｏが立ち上がるときの出力電圧Ｉｏの値及び出力電圧Ｖｏの立ち上がり時間の調整が可能となる。
【００３５】
さらに、端子８を安定化した電圧を出力する端子として用いることもできる。この場合、抵抗Ｒ４とコンデンサＣ１がＲＣフィルタ回路として機能するので、端子８から出力される電圧は、出力端子２から出力される出力電圧Ｖｏよりも安定する。ただし、出力電流抑制回路９が出力電圧Ｖｏの立ち上がり以外のときに出力電流Ｉｏを抑制することがないように、端子８からの出力は小電流出力にする必要がある。
【００３６】
なお、本実施形態では、抵抗Ｒ４の両端電圧から前記出力電圧の立ち上がり速度を検出するしているが、抵抗Ｒ４の代わりにトランジスタやダイオード等の他の抵抗手段を用いることもできる。また、抵抗Ｒ４及びコンデンサＣ１に直列にダイオード等の抵抗手段を設けることにより、抵抗Ｒ４における出力電圧Ｖｏの立ち上がり速度の検出レベルを変更することができる。
【００３７】
次に本発明に係る第二実施形態の直流安定化電源装置について説明する。本発明に係る第二実施形態の直流安定化電源装置の構成を図４に示す。なお、図４において図１と同一の部分には同一の符号を付し説明を省略する。
【００３８】
図４に示す第二実施形態の直流安定化電源装置は、図１の直流安定化電源装置の出力電流抑制回路９を出力電流抑制回路９’に置き換えた構成である。出力電流抑制回路９’は、抵抗Ｒ５〜Ｒ７と、ＰＮＰ型トランジスタＱ３及びＱ４と、ＮＰＮ型トランジスタＱ５及びＱ６と、端子８と、コンデンサＣ１とから構成される。なお、抵抗Ｒ５〜Ｒ７と、ＰＮＰ型トランジスタＱ３及びＱ４と、ＮＰＮ型トランジスタＱ５及びＱ６と、端子８とは半導体集積回路装置に搭載され、コンデンサＣ１は半導体集積回路装置の外部に設けられる。
【００３９】
トランジスタＱ３のエミッタは抵抗Ｒ５を介して、トランジスタＱ４のエミッタは抵抗Ｒ６を介して、ともに出力端子２に接続される。トランジスタＱ３のベースとトランジスタＱ４のベースは共通接続される。トランジスタＱ３のコレクタはトランジスタＱ６のコレクタに接続され、トランジスタＱ４のコレクタは抵抗Ｒ７を介して端子８に接続される。また、トランジスタＱ４のベース−コレクタ間は共通接続される。このような構成により、トランジスタＱ３及びＱ４がカレントミラー回路を形成する。
【００４０】
トランジスタＱ５のコレクタはトランジスタＱ２のベースに接続される。トランジスタＱ５のベースとトランジスタＱ６のベースは共通接続される。トランジスタＱ５のエミッタとトランジスタＱ６のエミッタはともにグランド端子３に接続される。また、トランジスタＱ６のベース−コレクタ間は共通接続される。このような構成により、トランジスタＱ５及びＱ６がカレントミラー回路を形成する。
【００４１】
出力電圧Ｖｏの立ち上がり時にトランジスタＱ４を介してコンデンサＣ１に充電電流が流れる。上述したように、トランジスタＱ３及びＱ４がカレントミラー回路を形成し、トランジスタＱ５及びＱ６がカレントミラー回路を形成し、トランジスタＱ３のコレクタとトランジスタＱ６のコレクタとが接続されているので、トランジスタＱ５にはコンデンサＣ１の充電電流と等しい電流が流れる。従って、出力電流抑制回路９’は、トランジスタＱ２のベースからコンデンサＣ１の充電電流と等しい電流を引き抜く。
【００４２】
出力電流抑制回路９’が上述のような動作を行うので、第二実施形態の直流安定化電源装置における無負荷（負荷ＲＬを取り除いた構成）にしたときの各部の電圧・電流タイムチャートは、第一実施形態の直流安定化電源装置の場合と同一になる（図２参照）。したがって、第二実施形態の直流安定化電源装置の出力電圧Ｖｏ−出力電流Ｉｏ特性も、第一実施形態の直流安定化電源装置の場合と同一になる（図３参照）。
【００４３】
なお、上述した第一及び第二実施形態の直流安定化電源装置ではコンデンサＣ１を端子８とグランド端子３との間に設けたが、コンデンサＣ１を端子８と出力端子２との間に設け、抵抗Ｒ４又はカレントミラー回路を端子８とグランド端子３との間に設ける構成にしても同様の効果を得ることができる。
【００４４】
【発明の効果】
本発明によると、入力した電圧を出力電圧に変換して出力する電圧変換回路と、前記出力電圧を検出する検出回路と、基準電圧を出力する基準電圧回路と、前記検出回路から出力される検出電圧と前記基準電圧とを比較、増幅する誤差増幅器と、該誤差増幅器の出力信号に基づいて前記検出電圧と前記基準電圧とが等しくなるように前記電圧変換回路を制御する制御回路と、を備え、前記出力電圧が立ち上がるときに前記電圧変換回路から出力される電流を抑制する電流抑制回路を設けるので、前記出力電圧が立ち上がる場合は必ずソフトスタートを行うことができる。すなわち、前記基準電圧が立ち上がっている状態であってもソフトスタートを行うことができる。
【００４５】
また、本発明によると、前記電流抑制回路が前記出力電圧の立ち上がり速度を検出し、前記出力電圧の立ち上がり速度に応じて動作するので、前記電流抑制回路は前記出力電圧が立ち上がりの有無を判別し、前記出力電圧が立ち上がるときに前記電圧変換回路から出力される電流を抑制することができる。
【００４６】
また、本発明によると、前記電流抑制回路が前記出力電圧の立ち上がり速度に応じて電流抑制量を可変するので、電流抑制量が一定の場合と比べて前記出力電圧の立ち上がり時間を短くすることが可能となる。
【００４７】
また、本発明によると、前記出力電圧が印加される出力端子と、接地電位になるグランド端子と、を備えるとともに、前記電流抑制回路が、抵抗手段及び容量から成る直列接続体を備え、該直列接続体を前記出力端子と前記グランド端子との間に設け、前記抵抗手段の両端電圧から前記出力電圧の立ち上がり速度を検出するので、前記電流抑制回路を簡単な構成にすることができ、低コスト化を図ることができる。
【００４８】
また、本発明によると、前記出力電圧が印加される出力端子と、接地電位になるグランド端子と、を備えるとともに、前記電流抑制回路が、前記出力端子と前記グランド端子との間に設けられる容量と、前記容量を流れる電流を検出するカレントミラー回路と、を備え、前記カレントミラー回路の出力電流から前記出力電圧の立ち上がり速度を検出するので、前記電流抑制回路を簡単な構成にすることができ、低コスト化を図ることができる。
【００４９】
また、本発明によると、前記抵抗手段又は前記カレントミラー回路と前記容量との間に端子を設けるとともに、前記容量以外の回路が半導体集積回路装置に搭載され、前記容量が半導体集積回路装置の外部に設けられるので、前記容量の静電容量を大きくすることができる。そして、前記容量の静電容量を変更することにより、前記出力電圧が立ち上がるときに前記電圧変換回路から出力される電流のピーク値及び前記出力電圧の立ち上がり時間の調整が可能となる。
【００５０】
また、本発明によると、前記端子に印加される電圧を第２の出力電圧とするので、前記出力電圧とは別個の出力を得ることができる。
【図面の簡単な説明】
【図１】      本発明に係る第一実施形態の直流安定化電源装置の構成を示す図である。
【図２】      図１の直流安定化電源装置における起動時の各部の電圧・電流タイムチャートである。
【図３】      図１の直流安定化電源装置の出力特性を示す図である。
【図４】      本発明に係る第二実施形態の直流安定化電源装置の構成を示す図である。
【図５】      従来の直流安定化電源装置の一実施例を示す図である。
【図６】      図５の直流安定化電源装置における起動時の各部の電圧・電流タイムチャートである。
【図７】      図５の直流安定化電源装置の出力特性を示す図である。
【図８】      従来のソフトスタート機能付直流安定化電源装置の一実施例を示す図である。
【図９】      図８の直流安定化電源装置における起動時の各部の電圧・電流タイムチャートである。
【図１０】      図８の直流安定化電源装置の出力特性を示す図である。
【符号の説明】
１    トランジスタ
２    出力端子
３    グランド端子
４    誤差増幅器
５    基準電圧回路
８    端子
９、９’    出力電流抑制回路
Ｉｏ    出力電流
Ｖｏ    出力電圧
【図１】
0003821717.tif 000002
【図２】
0003821717.tif 000003
【図３】
0003821717.tif 000004
【図４】
0003821717.tif 000005
【図５】
0003821717.tif 000006
【図６】
0003821717.tif 000007
【図７】
0003821717.tif 000008
【図８】
0003821717.tif 000009
【図９】
0003821717.tif 000010
【図１０】
0003821717.tif 000011